(57)【要約】【課題】表示映像の画質の向上と、消費電力の低減との両立を十分に行うことができる表示制御装置を提供する。【解決手段】表示制御部（２０１）は、画像データの更新の有無を、予め設定された画像更新期間毎に判断する画像更新判断部（２１）の判断結果に応じてフレームレートを設定する第１フレームレート設定部（２２）を備える。【選択図】図１
2019095815.tif 000002
【特許請求の範囲】
【請求項１】
表示パネルに、少なくとも２種類のフレームレートを切替えて当該フレームレートにて画像表示を行わせる表示制御装置であって、
外部から供給された画像データの更新の有無を、予め設定された画像更新期間毎に判断する画像データ更新判断部と、
上記画像データ更新判断部の判断結果に応じてフレームレートを設定する第１フレームレート設定部と、
表示制御装置を搭載する電子機器のバッテリー残量をチェックするバッテリー残量チェック部と、
上記バッテリー残量チェック部により検知されたバッテリー残量に応じてフレームレートの上限値を設定する第３フレームレート設定部と、を備え、
上記第１フレームレート設定部は、
フレームレートの上限値を、上記第３フレームレート設定部で設定されたフレームレートの上限値とすることを特徴とする表示制御装置。
【発明の詳細な説明】
【技術分野】
【０００１】
本発明は、表示パネルに、少なくとも２種類のフレームレートを切替えて画像表示を行わせる表示制御装置に関する。
【背景技術】
【０００２】
従来のモバイル向け液晶表示装置では、ちらつき等が懸念されるため、図９に示すように、６０Ｈｚ間隔の垂直同期信号（ＶＳＹＮＣ）によって、常時データを更新していた。
【０００３】
しかしながら、６０Ｈｚ間隔の垂直同期信号（ＶＳＹＮＣ）によるデータの更新、すなわち駆動周波数が６０Ｈｚでは、動画などの早い動きに対応しきれず、画質が低下する虞がある。
【０００４】
このため、駆動周波数を６０Ｈｚから１２０Ｈｚに上げて、液晶表示装置における画質の向上（例えば動画映像を滑らかに表示する等）を図ることが考えられる。
【０００５】
ところで、駆動周波数を６０Ｈｚから１２０Ｈｚに上げれば、駆動タイミングが倍になるため、消費電力が増大する。そこで、消費電力の増大を抑制するために種々の技術が提案されている。
【０００６】
例えば特許文献１には、映像データを構成する複数のフレームデータ群の動き量を検出し、検出された動き量が所定の動き量を示すしきい値以上である場合に倍速化処理したフレームデータ群により表示パネルを倍速駆動させ、検出された動き量が前記しきい値未満である場合は、表示パネルを倍速駆動させないようにして、常時、倍速駆動させる場合に比べて、消費電力を低減させる技術が開示されている。
【先行技術文献】
【特許文献】
【０００７】
【特許文献１】日本国公開特許公報「特開２０１１−１３４７３号公報（２０１１年１月２０日公開）」
【発明の概要】
【発明が解決しようとする課題】
【０００８】
しかしながら、特許文献１に開示された技術のように、画像データの動き量に基づいて倍速駆動を判断する場合、動き量を検出するためには、複数フレームにまたがって処理を行わないといけないため、回路規模等増加し、これに伴って、消費電力も増大するという問題が生じる。
【０００９】
以上、特許文献１に開示された技術では、消費電力の低減は十分ではないため、表示画像の画質向上と、消費電力の低減との両立を図ることができないという問題が生じる。
【００１０】
本発明は、上記の各問題点に鑑みなされたものであって、その目的は、表示映像の画質の向上と、消費電力の低減との両立を図ることができる表示制御装置を提供することにある。
【課題を解決するための手段】
【００１１】
上記の課題を解決するために、本発明の一態様に係る表示制御装置は、表示パネルに、少なくとも２種類のフレームレートを切替えて当該フレームレートにて画像表示を行わせる表示制御装置であって、外部から供給された画像データの更新の有無を、予め設定された画像更新期間毎に判断する画像データ更新判断部と、上記画像データ更新判断部の判断結果に応じてフレームレートを設定する第１フレームレート設定部と、表示制御装置を搭載する電子機器のバッテリー残量をチェックするバッテリー残量チェック部と、上記バッテリー残量チェック部により検知されたバッテリー残量に応じてフレームレートの上限値を設定する第３フレームレート設定部と、を備え、上記第１フレームレート設定部は、フレームレートの上限値を、上記第３フレームレート設定部で設定されたフレームレートの上限値とすることを特徴としている。
【発明の効果】
【００１２】
本発明の一態様によれば、表示画像の画質の向上と、消費電力の低減との両立を図ることができるという効果を奏する。
【図面の簡単な説明】
【００１３】
【図１】本発明の実施形態１に係る表示装置の概略構成ブロック図である。
【図２】図１に示す表示装置におけるデータ転送タイミングを示すタイミングチャートであり、（ａ）はフレームレートが１２０Ｈｚのときのタイミングチャート、（ｂ）はフレームレートが６０Ｈｚのときのタイミングチャートを示す。
【図３】図１に示す表示装置の表示制御処理の流れを示すフローチャートである。
【図４】本発明の実施形態２に係る表示装置の概略構成ブロック図である。
【図５】本発明の実施形態３に係る表示装置の概略構成ブロック図である。
【図６】図５に示す表示装置のフレームレート設定処理の流れを示すフローチャートである。
【図７】本発明の実施形態４に係る表示装置の概略構成ブロック図である。
【図８】図７に示す表示装置のフレームレート設定処理の流れを示すフローチャートである。
【図９】従来の表示装置におけるデータ転送タイミングを示すタイミングチャートである。
【発明を実施するための形態】
【００１４】
〔実施形態１〕
以下、本発明の実施の形態について、詳細に説明する。なお、本発明は、フレームレート可変の表示装置に適用可能な発明であり、本実施形態では、フレームレートが１２０Ｈｚである倍速駆動、フレームレートが６０Ｈｚである通常駆動を切替えて映像表示を行う表示装置を例に説明する。
【００１５】
（表示装置）
図１は、表示装置１の概略構成ブロック図を示し、図２の（ａ）（ｂ）は、図１に示す表示装置１におけるデータ転送のタイミングを示すタイミングチャートである。
【００１６】
表示装置１は、図１に示すように、表示パネル１０１、表示制御部２０１、表示画像生成部３０１、画像データ格納部４０１を含んでいる。
【００１７】
表示パネル１０１は、静止画像、動画像などの画像を表示し、例えば液晶表示パネル等のフレームレート可変な表示デバイスである。
【００１８】
表示制御部２０１は、上記表示パネル１０１に、２種類のフレームレート（１２０Ｈｚ、６０Ｈｚ）を切替えて映像表示を行わせる表示制御装置である。
【００１９】
表示画像生成部３０１は、外部からの画像信号から表示パネル１０１に表示すべき画像データを生成し、表示制御部２０１に転送する。
【００２０】
画像データ格納部４０１は、表示制御部２０１が表示画像生成部３０１から受け取った画像データを一時的に格納し、格納された画像データは、表示制御部２０１によって必要に応じて読み出される。すなわち、画像データ格納部４０１は、表示画像生成部３０１から供給され、表示パネル１０１に転送する画像データを一時的に格納するＶＲＡＭ（Video Random Access Memory）である。
【００２１】
表示制御部２０１は、画像データの更新の有無を、予め設定された画像更新判断期間毎に判断する画像更新判断部（画像データ更新判断部）２１と、画像更新判断部２１の判断結果に応じてフレームレートを設定する第１フレームレート設定部２２と、第１フレームレート設定部２２によって設定されたフレームレートによりＶＳＹＮＣ（垂直同期信号）を生成し、画像データ格納部４０１に格納された画像データを、生成した上記ＶＳＹＮＣによるタイミングで表示パネル１０１に転送する画像データ転送部２３と、を含んでいる。
【００２２】
つまり、表示制御部２０１は、予め設定された画像更新判断期間毎に行われる画像データの更新の有無の判断結果から、フレームレートを設定し、設定したフレームレートから表示更新のタイミングを生成し、生成されたタイミングで表示パネル１０１に画像データを転送するようになっている。
【００２３】
ここで、本実施形態における画像更新判断期間は１２０Ｈｚとする。つまり、本実施形態では、１２０Ｈｚ間隔で画像データの更新の有無を判断するようになっている。なお、この画像更新判断期間は、１２０Ｈｚに限定されるものではなく、６０Ｈｚや他の周波数であってもよい。
【００２４】
表示制御部２０１は、通常の表示更新のタイミングを、図２の（ａ）に示す倍速駆動の１２０Ｈｚとし、パフォーマンスが不要な場合や表示更新がない場合は、表示更新のタイミングを、図２の（ｂ）に示す通常駆動の６０Ｈｚとする。ここで、図２の（ｂ）に示す６０Ｈｚの表示更新のタイミングは、１２０Ｈｚの表示更新のタイミングにおいてフレーム間引きを行って実現している。具体的には、図２の（ａ）に示す１２０Ｈｚのデータ転送間隔から、図２の（ｂ）に示すように、フレームを１回間引いて、データ転送しない期間（休止期間）を設けることで、６０Ｈｚのデータ転送間隔、すなわち６０Ｈｚの表示更新のタイミングを実現している。
【００２５】
例えば、表示画像生成部３０１から所定のタイミングで画像データの転送が無い場合、表示制御部２０１は、画像更新が無いと判断して画像データ格納部４０１に既に格納されている画像データを読み出して、適宜、表示パネル１０１に転送する。この際、表示制御部２０１は、パフォーマンスが不要な場合や表示更新の必要がない場合と判断し、図２の（ｂ）に示すように、休止期間を設定することで、表示パネル１０１への画像データの転送を一時停止してフレームレートを１２０Ｈｚから６０Ｈｚに下げる。
【００２６】
なお、画像更新の有無の判断は、画像データ格納部４０１に格納されている画像データの更新有無で判断してもよい。
【００２７】
このように、パフォーマンスが不要な場合や表示更新がない場合に、フレームレートを下げることで、常時、フレームレートを高く設定している場合に比べて、消費電力を低減できる。
【００２８】
（表示制御処理：表示制御方法）
上記構成の表示制御部２０１における表示制御処理について、図３に示すフローチャートを参照しながら以下に説明する。なお、表示装置１の通常のフレームレートを１２０Ｈｚとし、パフォーマンスが不要な場合や画像更新がない場合には、フレームレートを１２０Ｈｚから６０Ｈｚに下げるものとする。従って、本実施形態では、フレームレートの上限値は、１２０Ｈｚとなる。
【００２９】
まず、表示制御部２０１の画像更新判断部２１は、画像の更新の有無を判断する（Ｓ１１）。ここで画像の更新有りと判断すれば、表示画像生成部３０１に表示用の画像データを生成させ（Ｓ１２）、表示制御部２０１へ転送させる（Ｓ１３）。
【００３０】
次に、表示制御部２０１の画像更新判断部２１は、表示画像生成部３０１から転送された画像データを画像データ格納部４０１へ格納する（Ｓ１４）。
【００３１】
続いて、表示制御部２０１の画像データ転送部２３は、表示タイミング（ＶＳＹＮＣ）を生成する（Ｓ１６）。ここでは、Ｓ１１において、画像更新判断部２１が画像更新有りと判断しているため、第１フレームレート設定部２２によって設定されたフレームレート１２０Ｈｚ間隔で表示更新が行える表示タイミング（ＶＳＹＮＣ）を生成する。
【００３２】
次に、表示制御部２０１の画像データ転送部２３は、生成した表示タイミングで、画像データ格納部４０１に格納された画像データを読み出し（Ｓ１７）、表示パネル１０１に転送する（Ｓ１８）。最後に、表示パネル１０１は、表示制御部２０１から転送された画像データを表示する。
【００３３】
一方、Ｓ１１において、表示制御部２０１の画像更新判断部２１が、画像更新が無いと判断すれば、Ｓ１５に移行する。
【００３４】
Ｓ１５において、表示制御部２０１の第１フレームレート設定部２２は、画像更新判断部２１から画像更新が無いことを示す信号を受信し、画像データの転送を一時休止するか否かを判断する。ここで、画像データの転送を一時休止するとは、上述した図２の（ｂ）に示す休止期間を設定することである。
【００３５】
また、Ｓ１５における一時休止の判断は、例えば前回のフレームにおいて画像表示を行っているか否かを確認することで行う。例えば、前回のフレームにおいて画像表示を行っているか否かの確認を、画像データ格納部４０１に格納されている画像データが更新されているか否かで行ってもよいし、表示画像生成部３０１から所定のタイミングで画像データの転送があるか無いかで行ってもよい（画像データ更新判断工程）。つまり、画像データが更新されていれば、前回のフレームにおいて画像表示を行っていると判断する。従って、画像データが更新されている場合、前回のフレームで画像表示が行われているため、一時休止すると判断し（Ｓ１５のＹｅｓ）、処理を終了する。このように、一時休止した場合、図２の（ｂ）に示す６０Ｈｚ更新となる（フレームレート設定工程）。
【００３６】
一方、前回のフレームにおいて画像表示を行っていない場合（Ｓ１５のＮｏ）、表示パネル１０１の表示更新を行うために、Ｓ１６に移行し、表示タイミングを生成し、Ｓ１１において画像更新有りの場合と同じ処理を実行する。
【００３７】
このようにして、画像更新されていると判断することで、通常、１２０Ｈｚ更新を行っている処理を、６０Ｈｚ更新にしている。これにより、常時１２０Ｈｚ更新を行っている場合に比べて、消費電力の低減を図ることができる。
【００３８】
（作用・効果）
上記構成の表示装置１において、第１フレームレート設定部２２は、フレームレートを、画像更新判断部２１により、画像更新無しと判断されたとき、前回の画像更新判断時のフレームレート（１２０Ｈｚ）よりも低いフレームレート（６０Ｈｚ）に設定するようになっている。
【００３９】
従って、画像更新無しと判断された場合には、フレームレートが前回の画像更新判断時のフレームレート（１２０Ｈｚ）よりも低いフレームレート（６０Ｈｚ）になるので、フレームレートが１２０Ｈｚの場合に比べて、消費電力を低減することができる。
【００４０】
なお、上記説明ではフレームレートは１２０Ｈｚと６０Ｈｚの間での変更を例に説明したが、もちろんこれに限られるものではなく、表示装置が動作可能な任意の範囲でフレームレートを設定できるものである。例えば１２０Ｈｚ〜１Ｈｚまでの範囲でフレームレートを変える事が出来る液晶表示装置の場合、１２０Ｈｚから１Ｈｚまでの範囲で所定のフレームレート間の変更設定が可能である。
【００４１】
本実施形態では、フレームレートの上限値を１２０Ｈｚとし、特にフレームレートの上限値の設定について説明していないが、以下の実施形態２〜４において、フレームレートの上限値の設定について説明する。なお、以下の実施形態２〜４においても上記実施形態１と同様に、表示装置が動作可能な任意の範囲でフレームレートの上限値を設定できるものである。例えば１２０Ｈｚ〜１Ｈｚまでの範囲でフレームレートを変える事が出来る液晶表示装置の場合、１２０Ｈｚから１Ｈｚまでの範囲でフレームレートの上限値の設定が可能である。
【００４２】
〔実施形態２〕
本発明の他の実施形態について、説明すれば以下のとおりである。なお、説明の便宜上、前記実施形態１にて説明した部材と同じ機能を有する部材については、同じ符号を付記し、その説明を省略する。
【００４３】
（表示装置）
図４は、本実施形態に係る表示装置２の概略構成ブロック図を示す。表示装置２は、図１の表示装置１の構成に、ユーザによりフレームレートを指示するためのフレームレート指示部５０１が追加され、さらに、図１の表示制御部２０１に代えて、当該表示制御部２０１の構成に、フレームレート指示部５０１によるユーザ指定のフレームレートの上限値の設定を行うための第２フレームレート設定部２４が追加された表示制御部２０２を備えている。
【００４４】
フレームレート指示部５０１は、ユーザにより例えば１２０Ｈｚまたは６０Ｈｚのフレームレートを選択できるようになっており、選択されたフレームレートを表示制御部２０２の第２フレームレート設定部２４に送るようになっている。
【００４５】
第２フレームレート設定部２４は、フレームレート指示部５０１から送られたフレームレートが６０Ｈｚであれば、６０Ｈｚをフレームレートの上限値とし、第１フレームレート設定部２２に送る。
【００４６】
また、第２フレームレート設定部２４は、フレームレート指示部５０１から送られたフレームレートが１２０Ｈｚであれば、１２０Ｈｚをフレームレートの上限値として、第１フレームレート設定部２２に送る。
【００４７】
すなわち、上記第１フレームレート設定部２２は、上記第２フレームレート設定部２４によりフレームレートの上限値が設定されたとき、当該第１フレームレート設定部２２で設定されるフレームレートの上限値を、上記第２フレームレート設定部２４で設定された上限値とする。
【００４８】
（ユーザによりフレームレートが６０Ｈｚと選択された場合）
第２フレームレート設定部２４は、第１フレームレート設定部２２に対してフレームレートの上限値を６０Ｈｚにするように指示し、第１フレームレート設定部２２は、必ず、フレームレートが６０Ｈｚを上まらないように画像データを表示パネル１０１に転送するように画像データ転送部２３に指示を行う。
【００４９】
なお、ユーザが設定できるフレームレートは勿論１２０Ｈｚ、６０Ｈｚに固定されるものではなく、表示装置が動作可能な任意のフレームレートから設定できるものである。
【００５０】
ここで、表示パネル１０１への画像データの転送のタイミング、すなわち表示タイミングは、画像データ転送部２３によって決められる。また、表示画像生成部３０１における画像生成の更新タイミングも表示タイミング（ＶＳＹＮＣ）に従う。従って、画像データ転送部２３は、生成した表示タイミングにより画像データを表示パネル１０１に転送する。
【００５１】
具体的には、画像データ転送部２３が生成する表示タイミング（ＶＳＹＮＣ）の立ち下がり及び立ちあがりを２回に１回停止することで、図２の（ｂ）に示すように、表示画像生成部３０１も６０Ｈｚ間隔で画像生成を行うようになり休止駆動を行うことができる。
【００５２】
（ユーザによりフレームレートが１２０Ｈｚと選択された場合）
この場合には、画像データ転送部２３は、表示タイミングの上限を１２０Ｈｚとする。このため、画像更新が連続でされた場合は１２０Ｈｚで連続して画像データを表示パネル１０１に転送することになる。
【００５３】
このように、ユーザがフレームレート指示部５０１により指示したフレームレートを、第１フレームレート設定部２２により設定されたフレームレートの上限値に設定することによって、ユーザの要望に応じたフレームレートにより画像表示を行わせることができるという効果を奏する。
【００５４】
本実施形態では、前記実施形態１に加えて、ユーザの要望に応じるために、フレームレートの上限値の設定をユーザにより行っているが、下記の実施形態３のように、バッテリー残量に応じてフレームレートの上限値を設定するようにしてもよい。
【００５５】
〔実施形態３〕
本発明の他の実施形態について、説明すれば以下のとおりである。なお、説明の便宜上、前記実施形態１，２にて説明した部材と同じ機能を有する部材については、同じ符号を付記し、その説明を省略する。
【００５６】
図５は、本実施形態に係る表示装置３の概略構成ブロック図を示す。表示装置３は、図４に示す表示装置２の構成に、表示装置３のバッテリー残量を検出（チェック）するためのバッテリー残量検出部（バッテリー残量チェック部）６０１が追加され、さらに、図４の表示制御部２０２に代えて、当該表示制御部２０２の構成に、バッテリー残量検出部６０１の検出結果（バッテリー残量）に応じたフレームレートの上限値を設定する第３フレームレート設定部２５を備えた表示制御部２０３を備えている。
【００５７】
第３フレームレート設定部２５によりフレームレートの上限値が設定されたとき、第１フレームレート設定部２２で設定されるフレームレートの上限値を、上記第３フレームレート設定部２５で設定されたフレームレートの上限値とする。
【００５８】
すなわち、上記第１フレームレート設定部２２は、上記第３フレームレート設定部２５によりフレームレートの上限値が設定されたとき、上記第１フレームレート設定部で設定されるフレームレートの上限値を、上記第３フレームレート設定部で設定された上限値とする。
【００５９】
（フレームレート設定処理）
図６は、図５に示す表示装置３の第３フレームレート設定部２５におけるフレームレート設定処理の流れを示すフローチャートである。なお、本フレームレート設定処理は、前記実施形態１の説明で使用したフローチャート（図３）の最初のステップ（Ｓ１１）を行う前に実行するものとする。
【００６０】
第３フレームレート設定部２５は、バッテリー残量検出部６０１から送られる信号からバッテリー残量を検出し（Ｓ３１）、検出したバッテリー残量に応じた上限フレームレートを設定する（Ｓ３２）。
【００６１】
本実施形態におけるバッテリー残量のチェック対象は、表示装置３のバッテリーであるが、これに限定されるものではなく、表示制御部２０３が搭載される電子機器のバッテリーであればよい。
【００６２】
本実施形態では、前記実施形態２に加えて、バッテリー残量に応じてフレームレートの上限値を設定するようにしているが、下記の実施形態４では、実行するアプリケーション毎にフレームレートの上限値を設定するようにしてもよい。
【００６３】
〔実施形態４〕
本発明の他の実施形態について、説明すれば以下のとおりである。なお、説明の便宜上、前記実施形態１〜３にて説明した部材と同じ機能を有する部材については、同じ符号を付記し、その説明を省略する。
【００６４】
（表示装置）
図７は、本実施形態に係る表示装置４の概略構成ブロック図を示す。なお、本実施形態では、表示装置４を、アプリケーションを実行可能なスマートフォン等の携帯情報端末に搭載した場合について説明する。
【００６５】
表示装置４は、図５に示す表示装置３の構成に、実行されるアプリケーションを判断するアプリ実行判断部７０１が追加され、さらに、図５の表示制御部２０３に代えて、当該表示制御部２０３の構成に、アプリ実行判断部７０１による判断結果に応じて、フレームレートの上限値を設定する第４フレームレート設定部２６を備えた表示制御部２０４を備えている。ここで、アプリ実行判断部７０１は、上記判断結果として、実行されているアプリケーションの識別信号が表示制御部２０４に送信される。
【００６６】
第４フレームレート設定部２６は、実行されているアプリケーションとフレームレートの上限値とが対応づけられたテーブルを有しており、実行しているアプリケーションを識別する信号を受信すると、上記テーブルを参照して、フレームレートの上限値が設定され、第１フレームレート設定部２２で設定されるフレームレートの上限値を、上記第４フレームレート設定部２６で設定されたフレームレートの上限値とする。
【００６７】
すなわち、上記第１フレームレート設定部２２は、上記アプリ実行判断部７０１により実行されているアプリケーションに応じて、当該第１フレームレート設定部２２で設定されるフレームレートの上限値とする。
【００６８】
（フレームレート設定処理）
図８は、図７に示す表示装置４の第４フレームレート設定部２６におけるフレームレート設定処理の流れを示すフローチャートである。なお、本フレームレート設定処理は、前記実施形態１の説明で使用したフローチャート（図３）の最初のステップ（Ｓ１１）を行う前に実行するものとする。
【００６９】
ここで、アプリケーション毎に、当該アプリケーションを実行したときの画像表示を表示パネル１０１に行わせるフレームレートの上限値が予め設定されている。例えば、レースゲーム等動作の激しいアプリケーションの場合、パフォーマンスが必要なのでフレームレート１２０Ｈｚが上限値として設定され、クイズゲーム等あまり画像変化のないアプリケーソンの場合、パフォーマンスは必要無いので、フレームレート６０Ｈｚが上限値として設定されている。 
【００７０】
まず、第４フレームレート設定部２６は、アプリ実行判断部７０１から送られた判断結果からアプリ実行信号を受信したか否かを判断する（Ｓ４１）。ここで、実行アプリ識別信号を受信すると、実行されるアプリに合わせた上限フレームレートに設定し、処理を終了する（Ｓ４２）。
【００７１】
なお、上記フローチャートでは、アプリケーション毎に予め設定されたフレームレートの上限値を、第１フレームレート設定部２２において設定したフレームレートの上限値として自動設定しているが、これに限定されるものではなく、１回目のアプリケーション実行時の画像データの更新タイミングを計測しフレームレートの上限値を求め、この上限値を記憶し、２回目以降のアプリケーション実行時に、記憶した上限値を第１フレームレート設定部２２において設定したフレームレートの上限値として自動設定するようにしてもよい。
【００７２】
または、使用するアプリケーション毎に、ユーザがフレームレートの上限値を設定するようにしてもよい。さらに、アプリケーションの製作者によって、フレームレートの上限値を予め決めていてもよい。
【００７３】
なお、本実施形態では、表示装置４を、アプリケーションを実行可能なスマートフォン等の情報携帯端末に搭載した例について説明したが、このような情報携帯端末に限定されるものではなく、アプリケーション実行可能な電子機器であればよい。
【００７４】
上記の各実施形態では、フレームレートの上限値の設定について詳細に説明したが、フレームレートの下限値は６０Ｈｚとして説明しているが、この下限値についてはこれに限定するものではなく、表示パネル１０１を構成する液晶の種類によって決めればよい。例えば、酸化物半導体を用いた液晶パネルの場合、フレームレートを１Ｈｚまで落とすことができる表示装置もある。
【００７５】
本発明は、上記の各実施形態に限定されるものではなく、フレームレート可変の表示装置に適用され、さらに、このような表示装置を搭載したパソコンなどの電子機器に適用され、消費電力の低減効果を有するため、特に、携帯型の電子機器、スマートフォン、ノートパソコン、ゲーム機器等に適用することができる。
【００７６】
〔ソフトウェアによる実現例〕
表示制御部２０１〜２０４の制御ブロック（特に第１フレームレート設定部２２、第２フレームレート設定部２４、第３フレームレート設定部２５、第４フレームレート設定部２６）は、集積回路（ＩＣチップ）等に形成された論理回路（ハードウェア）によって実現してもよいし、ＣＰＵ（Central Processing Unit）を用いてソフトウェアによって実現してもよい。
【００７７】
後者の場合、第１フレームレート設定部２２、第２フレームレート設定部２４、第３フレームレート設定部２５、第４フレームレート設定部２６は、各機能を実現するソフトウェアである表示制御プログラムの命令を実行するＣＰＵ、上記表示制御プログラムおよび各種データがコンピュータ（またはＣＰＵ）で読み取り可能に記録されたＲＯＭ（Read Only Memory）または記憶装置（これらを「記録媒体」と称する）、上記表示制御プログラムを展開するＲＡＭ（Random Access Memory）などを備えている。そして、コンピュータ（またはＣＰＵ）が上記表示制御プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該表示制御プログラムを伝送可能な任意の伝送媒体（通信ネットワークや放送波等）を介して上記コンピュータに供給されてもよい。なお、本発明は、上記表示制御プログラムが電子的な伝送によって具現化された、搬送波に埋め込まれたデータ信号の形態でも実現され得る。
【００７８】
〔補足事項〕
本発明の別態様１に係る表示制御装置は、表示パネル１０１に、少なくとも２種類のフレームレートを切替えて画像表示を行わせる表示制御装置（表示制御部２０１〜２０４）であって、外部から供給された画像データの更新の有無を、予め設定された画像更新期間毎に判断する画像データ更新判断部（画像更新判断部２１）と、上記画像データ更新判断部（画像更新判断部２１）の判断結果に応じてフレームレートを設定する第１フレームレート設定部２２と、を備えている。
【００７９】
上記構成によれば、表示パネルに転送する画像データの更新の有無に応じてフレームレートが設定される。
【００８０】
例えば、表示パネルに転送する画像データの更新が有れば、フレームレートを前回の画像更新判断時のフレームレートと同じか高めることで、当該表示パネルにおいて画像をなめらかに表示することができる。つまり、表示パネルに転送する画像データの更新が有るということは、表示画像の動きに滑らかさ等のパフォーマンスが要求される状態であるため、フレームレートが１２０Ｈｚ等の高めに設定されていれば、フレームレートを前回の画像更新判断時のフレームレートと同じにし、フレームレートが６０Ｈｚ等の低めに設定されていれば、フレームレートを前回の画像更新判断時のフレームレートよりも高めることで、当該表示パネルにおいて画像をなめらかに表示することができる。
【００８１】
一方、表示パネルに転送する画像データの更新が無ければ、フレームレートを前回の画像更新判断時のフレームレートと同じか低くすることで、画像表示に係る消費電力を低減することができる。つまり、表示パネルに転送する画像データの更新が無いということは、表示画像が静止画像などの動きが無くパフォーマンスが要求されない状態であるため、フレームレートが６０Ｈｚ等の低めに設定されていれば、フレームレートを前回の画像更新判断時のフレームレートと同じかあるいはそれ以上低いフレームレートにし、フレームレートが１２０Ｈｚ等の高めに設定されていれば、フレームレートを前回の画像更新判断時のフレームレートよりも低くすることで、画像表示に係る消費電力を低減することができる。
【００８２】
本発明の別態様２に係る表示制御装置は、上記別態様１において、上記画像データ更新判断部が、外部から供給され、上記表示パネルに転送する画像データを格納する画像データ格納部に格納された画像データにより更新の有無を判断してよい。
【００８３】
本発明の別態様３に係る表示制御装置は、上記別態様１または２において、上記第１フレームレート設定部２２は、上記画像データ更新判断部（画像更新判断部２１）により、画像データ更新無しと判断されたとき、上記フレームレートを、前回の画像更新判断時のフレームレートよりも低いフレームレートに設定してもよい。
【００８４】
上記の構成によれば、画像データ更新無しと判断された場合には、常に、フレームレートが前回の画像更新判断時のフレームレートよりも低くなるので、消費電力を低減することができる。
【００８５】
本発明の別態様４に係る表示制御装置は、上記別態様１〜３の何れか１態様において、ユーザによりフレームレートの上限値を設定する第２フレームレート設定部２４をさらに備え、上記第１フレームレート設定部２２は、フレームレートの上限値を、上記第２フレームレート設定部２４で設定されたフレームレートの上限値としてもよい。
【００８６】
上記構成によれば、ユーザが設定したフレームレートを上限値に設定することによってユーザの要望に応じたフレームレートにより画像表示を行わせることができる。
【００８７】
本発明の別態様５に係る表示制御装置は、上記別態様１〜４の何れか１態様において、表示制御装置を搭載する電子機器（表示装置１〜４）のバッテリー残量をチェックするバッテリー残量チェック部（バッテリー残量検出部６０１）と、上記バッテリー残量チェック部（バッテリー残量検出部６０１）により検知されたバッテリー残量に応じてフレームレートの上限値を設定する第３フレームレート設定部２５と、を備え、上記第１フレームレート設定部２２は、フレームレートの上限値を、上記第３フレームレート設定部２５で設定されたフレームレートの上限値としてもよい。
【００８８】
上記の構成によれば、バッテリー残量に応じて、フレームレートの上限を低くするようになっているので、バッテリーの消費を低減させることができる。
【００８９】
本発明の別態様６に係る表示制御装置は、上記別態様１〜５の何れか１態様において、表示制御装置を搭載する電子機器（表示装置１〜４）において実行されるアプリケーション毎に、当該アプリケーションを実行したときの画像表示を表示パネル１０１に行わせるフレームレートの上限値が設定されており、実行されているアプリケーションを判断するアプリ実行判断部７０１を備え、上記第１フレームレート設定部２２は、上記アプリ実行判断部７０１により、判断された実行されているアプリケーションの識別信号が送られ、実行されているアプリケーションに対応付けられたフレームレートの上限値としてもよい。具体的には、第４フレームレート設定部２６が、実行されているアプリケーションに対応してフレームレートの上限値を設定し、第１フレームレート設定部２２は、フレームレートの上限値を、第４フレームレート設定部２６で設定されたフレームレートの上限値とする。
【００９０】
上記の構成によれば、アプリケーションを実行するだけで、当該アプリケーションに設定されたフレームレートの上限値が制限された効率のよい画像表示を行わせることができる。
【００９１】
本発明の別態様７に係る表示制御方法は、表示パネルに、少なくとも２種類のフレームレートを切替えて画像表示を行わせる表示制御方法において、外部から供給された画像データの更新の有無を、予め設定された画像更新期間毎に判断する画像データ更新判断工程と、上記画像データ更新判断工程における判断結果に応じてフレームレートを設定するフレームレート設定工程と、を含むことを特徴としている。
【００９２】
上記構成によれば、別態様１と同様の効果を奏する。
【００９３】
本発明の各態様に係る表示制御部２０１〜２０４は、コンピュータによって実現してもよく、この場合には、コンピュータを上記表示制御部２０１〜２０４が備える各部（ソフトウェア要素）として動作させることにより上記表示制御部２０１〜２０４をコンピュータにて実現させる表示制御部２０１〜２０４の制御プログラム、およびそれを記録したコンピュータ読み取り可能な記録媒体も、本発明の範疇に入る。
【００９４】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【００９５】
本発明は、フレームレート切替え可能な表示装置、このような表示装置を搭載した電子機器に利用することができ、これらの電子機器のうち、特に、バッテリー駆動する電子機器、例えばスマートフォン等の携帯情報端末に好適に利用することができる。
【符号の説明】
【００９６】
１、２、３、４  表示装置
２１  画像更新判断部（画像データ更新判断部）
２２  第１フレームレート設定部
２３  画像データ転送部
２４  第２フレームレート設定部
２５  第３フレームレート設定部
２６  第４フレームレート設定部
１０１  表示パネル
２０１〜２０４  表示制御部
３０１  表示画像生成部
４０１  画像データ格納部
５０１  フレームレート指示部
６０１  バッテリー残量検出部（バッテリー残量チェック部）
７０１  アプリ実行判断部
【図１】
2019095815.tif 000003
【図２】
2019095815.tif 000004
【図３】
2019095815.tif 000005
【図４】
2019095815.tif 000006
【図５】
2019095815.tif 000007
【図６】
2019095815.tif 000008
【図７】
2019095815.tif 000009
【図８】
2019095815.tif 000010
【図９】
2019095815.tif 000011